(57)【要約】【課題】簡単な構造を採用するにもかかわらず、扉外側から扉内側への湿った外気の侵入を防ぐことができる冷蔵庫を提供する。【解決手段】冷蔵庫１は、飾り板としてのガラス面材２０が表面に配置されている例えば引出し式扉１０ａを有し、ガラス面材２０を支持している扉構成体としての扉フレーム４０と、扉フレーム４０内にはめ込まれるはめ込み部分を有する扉内側部２５を有し、扉フレーム４０の内面と、この扉フレーム４０の内面に向き合う扉内側部２５のはめ込み部分３０との間には、シール材５０，１５０が圧縮された状態で介在されていることで、扉フレーム４０と扉内側部２５は断熱箱を構成している。【選択図】図２
2015007498.tif 000002
【特許請求の範囲】
【請求項１】
飾り板が表面に配置されている扉を有する冷蔵庫であって、
前記飾り板を支持している扉構成体と、
前記扉構成体内にはめ込まれるはめ込み部分を有する扉内側部と、を有し、
前記扉構成体の内面と、前記扉構成体の内面に向き合う前記扉内側部の前記はめ込み部分との間に、シール材を圧縮された状態で介在させて前記扉構成体と前記扉内側部は断熱箱を構成していることを特徴とする冷蔵庫。
【請求項２】
前記扉構成体と前記扉内側部との間には真空断熱材が配置されており、前記真空断熱材の周囲には空隙が許容されることを特徴とする請求項１に記載の冷蔵庫。
【請求項３】
前記シール材は、前記扉構成体の内面と前記扉内側部の前記はめ込み部分との間で圧縮可能な柔軟性を有することを特徴とする請求項１または２に記載の冷蔵庫。
【請求項４】
前記扉構成体の内面には、前記シール材が配置されておらず、前記扉内側部の前記はめ込み部分の先端部に、前記シール材が配置されていることを特徴とする請求項１ないし３のいずれかに記載の冷蔵庫。
【請求項５】
前記扉構成体の内面に向き合う前記扉内側部の前記はめ込み部分の先端部には、前記はめ込み部分の材質に比べて柔軟性を有する材質の前記シール部材が、一体的に形成されていることを特徴とする請求項４に記載の冷蔵庫。
【発明の詳細な説明】
【技術分野】
【０００１】
本発明の実施の形態は、冷蔵庫に関する。
【背景技術】
【０００２】
従来の冷蔵庫の扉は、扉外板に真空断熱パネルの外側面を当接させて接着させ、扉内板に真空断熱パネルの内側面を当接させて接着させることで構成されている。
【０００３】
(特許文献１を参照)。
【先行技術文献】
【特許文献】
【０００４】
【特許文献１】特開２０１２−２５５６０７号
【発明の概要】
【発明が解決しようとする課題】
【０００５】
しかし、上記特許文献１における扉の構造では、扉外板と扉内板の空間での内部結露を抑える必要があり、従来の発泡ウレタンのような断熱材で充填できない部位では、扉外側から扉内側へ湿った外気の侵入を防ぐために外気を遮る必要があるので、扉構造が複雑になる。
【０００６】
本発明は、上記に鑑みてなされたもので、その目的とするところは、簡単な構造を採用するにもかかわらず、扉外側から扉内側への湿った外気の侵入を防ぐことができる冷蔵庫を提供することにある。
【課題を解決するための手段】
【０００７】
本発明の実施の形態の冷蔵庫は、飾り板が表面に配置されている扉を有する冷蔵庫であって、前記飾り板を支持している扉構成体と、前記扉構成体内にはめ込まれるはめ込み部分を有する扉内側部と、を有し、前記扉構成体の内面と、前記扉構成体の内面に向き合う前記扉内側部の前記はめ込み部分との間には、シール材が圧縮された状態で介在されていることで、前記扉構成体と前記扉内側部は断熱箱を構成していることを要旨とする。
【図面の簡単な説明】
【０００８】
【図１】本発明の第１実施形態の冷蔵庫の全体を示す斜視図である。
【図２】図１に示す冷凍室の引出し式扉のＤ−Ｄ線における断面図である。
【図３】図２に示す引出し式扉の分解斜視図である。
【図４】図４（Ａ）は、図２に示すシール材の付近であって、上側はめ込み部分の先端部と下側はめ込み部分の先端部を拡大して示す断面図であり、図４（Ｂ）は、図２に示すシール材の付近であって、左右のはめ込み部分の先端部を拡大して示す断面図である。
【図５】本発明の第２実施形態における引出し扉の断面図である。
【図６】図６（Ａ）は、図５に示すシール材の付近であって、上側はめ込み部分の先端部と下側はめ込み部分の先端部を拡大して示す断面図であり、図６（Ｂ）は、図５に示すシール材の付近であって、左右のはめ込み部分の先端部を拡大して示す断面図である。
【発明を実施するための形態】
【０００９】
以下、図面を用いて、本発明の実施するための形態（以下、実施形態と称する）を説明する。
【００１０】
（第１実施形態）
図１は、本発明の第１実施形態に係わる冷蔵庫の全体を示す斜視図である。
【００１１】
図１に示す冷蔵庫１は、本体２を有している。この本体２の最上部の位置には、両開き式の左右の観音扉３，４で開閉される冷蔵室５を設けられている。これらの観音扉３，４は、それぞれ本体２の回転軸３Ａ，４Ａを中心にして開閉可能に取り付けられている。冷蔵室５の下側には、引出し式扉７ａで開閉される野菜室７が設けられている。この野菜室７の下側には、製氷室８と、上部冷凍室９が横方向に並んで設けられている。
【００１２】
製氷室８は引出し式扉８ａで開閉され、上部冷凍室９は引出し式扉９ａで開閉される。本体２の最下部であって、これらの製氷室８と上部冷凍室９の下側には、冷凍室１０が設けられている。冷凍室１０は引出し式扉１０ａで開閉される。
【００１３】
観音扉３，４の下部には、それぞれ指を掛けるための凹状の取っ手３ｂ，４ｂが扉内部に設けられている。引出し式扉７ａ、８ａ、９ａ、１０ａの上部には、それぞれ指を掛けるための凹状の取っ手７ｂ、８ｂ、９ｂ、１０ｂが設けられている。
【００１４】
図１に示すように、観音扉３，４の外表面には、飾り板としてのガラス板１３，１４がそれぞれ設けられている。同様にして、引出し式扉７ａの外表面には、飾り板としてのガラス板１７が設けられている。製氷室８と上部冷凍室９と冷凍室１０の外表面には、飾り板としてのガラス板１８，１９，２０がそれぞれ設けられている。これらのガラス板１３，１４，１７，１８，１９，２０は、透明あるいは透光性を有する。
【００１５】
以下の説明では、冷凍室１０の引出し式扉１０ａの構造例を、代表して説明する。
【００１６】
図２は、図１に示す引出し式扉１０ａの表面側の断面構造例を示している。図２に例示するのは、例えば図１に示す冷凍室１０の引出し式扉１０ａのＤ−Ｄ線における断面を示している。図３は、図２に示す引出し式扉１０ａの分解斜視図である。
【００１７】
図２に示すように、冷凍室１０の引出し式扉１０ａは、ガラス面材２０と、扉の構成体としての扉フレーム４０と、断熱材としての真空断熱材（ＶＩＰ）２３と、断熱材としての発泡ポリスチレン（ＥＰＳ）２４Ａ，２４Ｂと、そして扉内側部２５を有している。
【００１８】
まず、図２と図３に示す扉フレーム４０の構造について説明する。
【００１９】
図２と図３に示す扉フレーム４０は、プラスチック製であり、引出し式扉１０ａの前側に配置されており、扉フレーム４０は、上部フレーム部分４０Ａと、下部フレーム部分４０Ｂと、左右の側部フレーム部分４０Ｃを有する長方形の枠状の部材である。図２に示すように、上部フレーム部分４０Ａには、凹状の取っ手１０ｂが設けられているが、図３では、取っ手１０ｂの図示は省略している。
【００２０】
図２と図３に示すように、この扉フレーム４０は、上部フレーム部分４０Ａと、下部フレーム部分４０Ｂと、左右の側部フレーム部分４０Ｃから、Ｚ方向とＸ方向から成る面方向に向けて、周囲壁５５が形成されている。
【００２１】
図２に示すように、板状のガラス面材２０は、引出し式扉１０ａの前面側を飾るための飾り板の役割を果たしており、例えば長方形状の板状の部材である。ガラス面材２０は、扉フレーム４０の前面側において、例えば上部フレーム部分４０Ａの支持部４０Ｄと、下部フレーム部分４０Ｂの受け部４０Ｅの間に支持されている。しかも、ガラス面材２０の内面２０Ｂは、周囲壁５５の外面に対して、接着剤により固定されている。このため、このガラス面材２０は、Ｚ方向（上下方向）、Ｙ方向、そしてＸ方向に関して動かないように固定されている。
【００２２】
図２に示すように、ガラス面材２０の表面２０Ａが露出しているが、内面２０Ｂは真空断熱材２３側に対面している。ガラス面材２０の内面２０Ｂは、ガラス面材２０よりも内側にある真空断熱材２３が外側からガラス面材２０を通じて見えないようにするために、例えば好ましくは塗装が施されている。
【００２３】
扉フレーム４０と扉内側部２５との間には、真空断熱材２３が配置されており、真空断熱材２３の周囲には空間ＳＲを有する。これにより、飾り板であるガラス面材２０の裏側は、真空断熱材２３により断熱性を確保でき、真空断熱材２３の周囲には空間があるので、真空断熱材２３は押し潰されることが無いように余裕をもって収容されている。
【００２４】
図３に示すように、真空断熱材２３は、例えば長方形状の板状の部材である。断熱材である発泡ポリスチレン２４Ｂは、例えば長方形の枠状の部材である。
【００２５】
次に、図２と図３に示す扉内側部２５の構造について説明する。
【００２６】
扉内側部２５は、プラスチック製であり、扉内側部２５は、冷凍室１０の庫室内３３内においてＹ方向に突出している。扉内側部２５は、すでに説明した扉フレーム４０内に嵌め合わせることにより、断熱箱を構成している。
【００２７】
図２に示すように、扉内側部２５は、はめ込み部３０と、突出部３１を有している。はめ込み部３０は、扉フレーム４０内にはめ込まれる部分であり、突出部３１は、はめ込み部３０の後ろ側においてＹ方向に突出して形成されている。
【００２８】
図３に示すように、はめ込み部３０は、上側はめ込み部分３０Ａと、下側はめ込み部分３０Ｂと、左右のはめ込み部分３０Ｃを有している。はめ込み部３０の上側はめ込み部分３０Ａと下側はめ込み部分３０Ｂと左右のはめ込み部分３０Ｃは、扉フレーム４０の上部フレーム部分４０Ａと、下部フレーム部分４０Ｂと、左右の側部フレーム部分４０Ｃの内側に、それぞれはめ込まれることにより、扉フレーム４０と扉内側部２５は組み立てられている。
【００２９】
突出部３１は、上側の突出部分３１Ａと下側突出部分３１Ｂと左右の突出部分３１Ｃと、内壁部分３１Ｄを有している。上側の突出部分３１Ａと下側突出部分３１Ｂと左右の突出部分３１Ｃの各内部空間には、枠型の発泡ポリスチレン２４Ｂが配置されている。
【００３０】
図２に示すように、真空断熱材２３が、ガラス面材２０の内面２０Ｂと扉内側部２５の内壁部分３１Ｄと、上側はめ込み部分３０Ａと、下側はめ込み部分３０Ｂと、左右のはめ込み部分３０Ｃの間に形成されている収容空間部２２に配置されている。真空断熱材２３の断熱性能は、発泡ポリウレタン材の断熱性能に比べて高いので、真空断熱材２３を断熱材として用いることで、引出し式扉１０ａが形成するＹ方向の厚みを小さくできる。引出し式扉１０ａの厚みを小さくすることで、冷蔵庫の外箱のサイズを維持したままで冷蔵庫の内箱内の容積を増やせるので、冷蔵庫の収容能力を上げることができる。
【００３１】
さらに、図４を参照して、はめ込み部３０の上側はめ込み部分３０Ａと、下側はめ込み部分３０Ｂと、左右のはめ込み部分３０Ｃの形状について詳しく説明する。図４（Ａ）は、図２に示すシール材５０の付近であって、上側はめ込み部分３０Ａの先端部６０と、下側はめ込み部分３０Ｂの先端部６１を拡大して示す断面図である。図４（Ｂ）は、図２に示すシール材５０の付近であって、左右のはめ込み部分３０Ｃの先端部７０を拡大して示す断面図である。
【００３２】
まず、シール材５０について説明すると、シール材５０は、図２と図３に示すように、長方形の枠状の部材であり、上部分５１、下部分５２、左部分５３、右部分５３を有している。このシール材５０は、図３に例示するように、好ましくは断面が長方形状の弾性変形可能な部材であり、例えばＥＰＤＭ（エチレンプロピレンジエンゴム）系の圧縮可能な柔軟性のあるテープ部材である。このソフトなテープは、ＥＰＤＭ系の発泡ゴムである。
【００３３】
また、図２図３に示すように、この周囲壁５５には、開口部５６が形成されている。このシール材５０は、周囲壁５５の内面において、例えば接着により予め固定されている。
【００３４】
図３と図２に示すように、はめ込み部３０の上側はめ込み部分３０Ａと、下側はめ込み部分３０Ｂと、左右のはめ込み部分３０Ｃが、扉フレーム４０の上部フレーム部分４０Ａと、下部フレーム部分４０Ｂと、左右の側部フレーム部分４０Ｃの内側にそれぞれはめ込まれることにより、扉フレーム４０と扉内側部２５は組み立てられる。
【００３５】
扉フレーム４０と扉内側部２５がこのように組み立てた状態では、図４（Ａ）に示すように、上側はめ込み部分３０Ａの先端部６０と周囲壁５５の内面との間には、予め定めた隙間Ｓが設定される。同様にして、下側はめ込み部分３０Ｂの先端部６１と周囲壁５５の内面との間には、予め定めた隙間Ｓが設定される。また、図４（Ｂ）に示すように、左右のはめ込み部３０Ｃの先端部７０と周囲壁５５の内面との間には、予め定めた隙間Ｓが設定される。この隙間７０の寸法は、シール材５０の厚みに比べて小さく設定されている。
【００３６】
図２と図４（Ａ）に示すように、上側はめ込み部分３０Ａの先端部６０と周囲壁５５の間では、上側はめ込み部分３０Ａの先端部６０が、シール材５０側に突き当てられて、周囲壁５５側へシール材５０を圧縮する。同様にして、下側はめ込み部分３０Ｂの先端部６１と周囲壁５５の間では、下側はめ込み部分３０Ｂの先端部６１が、シール材５０側に突き当てられて、周囲壁５５側へシール材５０を圧縮する。
【００３７】
しかも、図４（Ｂ）に示すように、左右のはめ込み部分３０Ｃの先端部７０と周囲壁５５の間では、左右のはめ込み部分３０Ｃの先端部７０が、シール材５０側に突き当てられて、周囲壁５５側へシール材５０を圧縮する。
【００３８】
これにより、扉フレーム４０と扉内側部２５を組み立てるだけで、扉内側部２５のはめ込み部３０の上側はめ込み部分３０Ａと、下側はめ込み部分３０Ｂと、左右のはめ込み部分３０Ｃは、シール材５０の四辺部分をはめ込み方向（Ｙ１方向）に圧縮しながら押し付けることができる。このため、扉フレーム４０と扉内側部２５との間のシール性（気密性）を容易に確保でき、引出し式扉１０ａの扉の外側から扉の内側への湿った外気の侵入を防ぐことができる。
【００３９】
シール材５０は、外側部材である扉フレーム４０と、内側部材である扉内側部２５との間に挟み込んで圧縮することで、湿った外気の侵入を防ぐとともに、扉フレーム４０と扉内側部２５のヒートブリッジ現象を防ぐ役割もある。はめ込み部３０の上側はめ込み部分３０Ａと、下側はめ込み部分３０Ｂと、左右のはめ込み部分３０Ｃは、シール材５０に突き当てることにより、シール材５０を圧縮するので、シール５０内の気泡が潰され、扉フレーム４０と扉内側部２５の間にゴム質が隙間なく埋まることになる。このため、扉フレーム４０と扉内側部２５から成る断熱箱の気密性が高まる。
【００４０】
はめ込み部分の先端部がシール材に突き当てて圧縮するのではなく、シール材に対して単に擦れ合う程度の状態であると、シール材の剥がれやよじれ等により均一に圧力が掛からず、場所によっては無シール状態になるおそれがあるので、好ましくはない。
【００４１】
図２に示す扉フレーム４０においては、ガラス面材２０の貼り付け面側（内面２０Ｂ）を前面として、真空断熱材２３の貼り付け面側を後面とすると、扉フレーム４０の後面側にシール材５０を隙間無く貼り付けておく。
【００４２】
扉フレーム４０の内側において、真空断熱材２３の貼り付け面側を前面とし、真空断熱材２３の冷蔵庫庫内側を後面とした時に、真空断熱材２３の前面側の周囲に、周囲壁５５が形成されている。この周囲壁５５の内面と、扉内側部２５のはめ込み部３０の先端部６０，６１，７０との間には、一定のクリアランスである隙間Ｓが設けられている。はめ込み部３０が扉フレーム４０の内側にはめ込まれる際に、扉フレーム４０の周囲壁５５では、シール材５０が、嵌め合い方向（Ｙ１方向）と同じ方向に圧縮されながら押さえ付けられるので、扉フレーム４０と扉内側部２５との間におけるシール性（気密性）を確保できる。
【００４３】
図２に示す扉の外郭を形成する扉フレーム４０と、扉の内側である扉内側部２５側へ湿った外気の侵入を防ぐことができる。これにより、内部結露の防止が期待でき、真空断熱材２３の構成要素であるバリア袋２３Ｐが、結露水により劣化する現象が起こりにくい環境にすることができる。
【００４４】
（第２実施形態）
図５と図６は、本発明の第２実施形態を示しており、図５は、本発明の第２実施形態の引出し扉の断面図である。図６（Ａ）は、図５に示すシール材の付近であって、上側はめ込み部分の先端部と、下側はめ込み部分の先端部を拡大して示す断面図であり、図６（Ｂ）は、図５に示すシール材の付近であって、左右のはめ込み部分の先端部を拡大して示す断面図である。
【００４５】
図５と図６に示す第２実施形態の引出し式扉１０ａの構造は、図２から図４に示す第１実施形態の引出し式扉１０ａの構造と、ほぼ同じである。しかし、扉内側部２５のはめ込み部３０の上側はめ込み部分３０Ａと、下側はめ込み部分３０Ｂと、左右のはめ込み部分３０Ｃと、そしてシール材１５０の構造が異なる。そこで、図５と図６では、同様の箇所には同じ符号を記して、説明を援用する。
【００４６】
図６に示すように、はめ込み部３０の上側はめ込み部分３０Ａと、下側はめ込み部分３０Ｂと、左右のはめ込み部分３０Ｃと、シール材１５０は、熱可塑性樹脂と熱可塑性エラストマとの異材質成形による一体成型品として作られている。すなわち、はめ込み部３０の上側はめ込み部分３０Ａと、下側はめ込み部分３０Ｂと、左右のはめ込み部分３０Ｃは、熱可塑性樹脂による作られているが、シール材１５０は、熱可塑性樹脂に比べて柔軟性を有する熱可塑性エラストマにより作られている。
【００４７】
シール材１５０の柔軟性は、上側はめ込み部分３０Ａと、下側はめ込み部分３０Ｂと、左右のはめ込み部分３０Ｃの柔軟性よりも大きい。シール材１５０は、上側はめ込み部分３０Ａの先端部６０と、下側はめ込み部分３０Ｂの先端部６１と、左右のはめ込み部分３０Ｃの先端部７０にそれぞれ設けられている。
【００４８】
これにより、シール材１５０は、外側部材である扉フレーム４０と、内側部材である扉内側部２５との間に挟み込んで圧縮することで、真空断熱材２３と発泡ポリスチレン２４Ａ，２４Ｂ側に湿った外気の侵入を防ぐとともに、扉フレーム４０と扉内側部２５のヒートブリッジ現象を防ぐ役割もある。
【００４９】
はめ込み部３０が扉フレーム４０の内側にはめ込まれる際に、扉フレーム４０の周囲壁５５の後面に貼り付けられているシール材５０は、嵌め合い方向と同じ方向（Ｙ方向）に圧縮されながら押さえ付けられるので、扉フレーム４０と扉内側部２５から成る断熱箱のシール性（気密性）を確保できる。
【００５０】
図５に示す扉の外郭を形成する扉フレーム４０と、扉の内側である扉内側部２５側へ湿った外気の侵入を防ぐことができる。これにより、内部結露の防止が期待でき、真空断熱材２３の構成要素であるバリア袋２３Ｐが、結露水により劣化して断熱性が失われることが起こり難いように気密性を持たせることができる。
【００５１】
このようにすることで、シール材を別部品として予め準備する必要が無くなり、部品点数の削減が図れ、そしてシール材を扉フレーム４０の内側に予め貼り付けて配置するという作業工程の削減が図れる。
【００５２】
本発明の実施形態の冷蔵庫１は、図２と図５に示すように、飾り板としてのガラス面材２０が表面に配置されている例えば引出し式扉１０ａを有し、ガラス面材２０を支持している扉構成体としての扉フレーム４０と、扉フレーム４０内にはめ込まれるはめ込み部分を有する扉内側部２５を有する。扉フレーム４０の内面と、この扉フレーム４０の内面に向き合う扉内側部２５のはめ込み部分３０との間には、シール材５０，１５０が圧縮された状態で介在されていることで、扉フレーム４０と扉内側部２５は断熱箱を構成している。これにより、簡単な構造を採用するにもかかわらず、扉外側から扉内側への湿った外気の侵入を防ぐことができる。
【００５３】
扉構成体としての扉フレーム４０と扉内側部２５との間には、真空断熱材２３が配置されており、真空断熱材２３の周囲には空間ＳＲを有する。これにより、飾り板であるガラス面材２０の裏側は、真空断熱材２３により断熱性を確保でき、真空断熱材２３の周囲には空間があるので、真空断熱材２３が押し潰されることが無い。
【００５４】
シール材５０，１５０は、扉フレーム４０の内面と扉内側部２５のはめ込み部分３０との間で圧縮可能な柔軟性を有する。これにより、扉フレーム４０の内面と扉内側部２５のはめ込み部分３０とは、シール材５０，１５０により気密性を確保できる。
【００５５】
扉フレーム４０の内面には、シール材５０，１５０が配置されておらず、扉内側部２５のはめ込み部分３０の先端部６０，６１，７０に、シール材１５０が配置されている。これにより、シール材を別部品として準備する必要が無くなり、部品点数の削減が図れ、そしてシール材を扉フレーム４０の内面に予め配置するという作業工程の削減が図れる。
【００５６】
扉フレーム４０の内面に向き合う扉内側部２５のはめ込み部分３０の先端部６０，６１，７０には、はめ込み部分３０の材質に比べて柔軟性を有する材質のシール部材１５０が、一体的に形成されている。これにより、扉内側部２５のはめ込み部分３０とシール材１５０が一体化されているので、別途シール材を用意する必要が無く、部品点数の削減が図れる。
【００５７】
以上、本発明の実施形態を説明したが、実施形態は、例として提示したものであり、発明の範囲を限定することは意図していない。新規な実施形態は、その他の様々な態様で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５８】
図示例では、シール材５０は、例えばＥＰＤＭ系のテープであるが、これに限らず、例えばポリウレタンソフトテープ、アクリルフォームテープ、ブチルテープ等の素材や、シーリングゴムパッキン、ガスケット、シリコンコーキング等の素材を用いることもできる。
【００５９】
本発明の実施形態では、引出し式扉１０ａの構造例を図示しているが、これに限らず、他の引出し式扉、すなわち野菜室７の引出し式扉７ａ、製氷室８の引出し式扉８ａ、上部冷凍室９の引出し式扉９ａ、観音扉３，４にも適用できる。また、図１に示す冷蔵庫１の構造は、一例であり、任意の構造を採用することができる。
【符号の説明】
【００６０】
１      冷蔵庫
２      本体
１０ａ  引出し式扉
２０    ガラス面材（飾り板の例）
２５    扉内側部
３０    扉内側部のはめ込み部
３０Ａ  上側はめ込み部分
３０Ｂ  下側はめ込み部分
３０Ｃ  左右のはめ込み部分
４０    扉フレーム（扉構成体の例）
５０，１５０  シール材
６０    上側はめ込み部分の先端部
６１    下側はめ込み部分の先端部
７０    左右のはめ込み部分の先端部
【図１】
2015007498.tif 000003
【図２】
2015007498.tif 000004
【図３】
2015007498.tif 000005
【図４】
2015007498.tif 000006
【図５】
2015007498.tif 000007
【図６】
2015007498.tif 000008